(57)【要約】      （修正有）【課題】操作の円滑性を高め、操作の省力化と加力の簡素化を達成するテープカッターを提供する。【解決手段】テープカッター１００は、取付ユニット２０、ハンドル３０、ガイドユニット４０およびカッターユニット５０を有する。ガイドユニット４０は、テープ押圧部材および転向部材を有し、カッターユニット５０は、操作部材および固定台を有し、固定台の一側にはカッター台が設けられる。これらにより、テープ押圧部材と転向部材がテープの張力を高め、テープを切りやすくする。更に、操作部材を押さえることで、操作部材が連動部材を連動し、連動部材がカッター台と共に作動し、カッター台のカッター刃の前進または後退の動作を制御する。【選択図】図１
0003225981.tif 000002
【実用新案登録請求の範囲】
【請求項１】
プロテクトテープを含む巻き取られた粘着テープ類を切り取って使用するときに用いられるテープカッターであって、
底部に支持部を有し、枢設部材を有する基台と、
前記基台に枢設され、テープ巻が取り付けられる取付ユニットと、
前記基台に設けられるハンドルと、
前記基台に設けられ、テープ押圧部材および転向部材を有し、且つ前記テープ押圧部材は前記取付ユニットおよび前記転向部材の間に位置するガイドユニットと、
前記基台に設けられ、操作部材および固定台を有し、前記操作部材は前記枢設部材に枢設され、前記枢設部材の両側に位置する前記操作部材は連動部と抑止部に分かれ、前記連動部の自由端には弾性部材の一端が連接され、前記弾性部材の別の一端は前記基台に固定され、前記固定台は前記基台に固定設置され、前記固定台は定位部材を有し、前記定位部材はカッター台に連接し、前記カッター台は前記定位部材に沿って移動し、且つ前記カッター台にカッター刃が設けられるカッターユニットと、
前記支持部に枢設され、第一ガイド部材および第二ガイド部材を有するテープ押圧ユニットと、を有することを特徴とするテープカッター。
【請求項２】
前記連動部の長さは前記抑止部の長さより短く、且つ前記連動部に連動部材の一端が枢設され、前記連動部材の他端は連動板に枢設され、
他に前記固定台は固定面を有し、前記固定面は前記連動板に対して垂直であり、前記連動板を固定した前記カッター台を支持し、前記固定面は前記定位部材を固定し、前記定位部材は前記連動板に対して平行であり、前記固定台と前記カッター台とは間隔を開けて設置され、且つ前記カッター台は前記転向部材および前記第一ガイド部材の間に位置することを特徴とする請求項１に記載のテープカッター。
【請求項３】
前記基台は第一側面板および第二側面板を有し、前記第一側面板の底部はガイド板を有し、前記ガイド板は外向きにガイド部が延び、且つ前記ガイド部は凸形ガイドを有し、前記凸形ガイドは前記第一ガイド部材および前記第二ガイド部材の外縁に位置することを特徴とする請求項１に記載のテープカッター。
【請求項４】
前記基台は側面縁および底縁を有し、前記側面縁および前記底縁は角度を形成し、前記角度は９０度より小さいことを特徴とする請求項１に記載のテープカッター。
【請求項５】
前記テープ押圧部材には止め輪が嵌合設置され、且つ前記テープ押圧部材は前記取付ユニットおよび前記転向部材の間に位置し、前記転向部材は回転せず、且つ前記転向部材は転向面を有し、前記テープカッターを前記テープカッターの側面からみたときに前記転向面は前記基台から突出していることを特徴とする請求項１に記載のテープカッター。
【考案の詳細な説明】
【技術分野】
【０００１】
本考案は、テープカッターに関するもので、特にプロテクトテープを使用するときのテープカッターに係る。
【背景技術】
【０００２】
公知のテープカッターは、ハンドルを有する。ハンドル上方にはカッター台およびテープ巻台が設けられる。カッター台はテープ巻台の前側に設けられ、且つカッター台の下方にはローラーが設けられる。同時にカッター台にはカッター刃が差込まれて設置され、テープ巻台にはテープ巻が嵌合されて設置される。そして、使用時は、先ずテープ巻の一端を製品のテープ貼着箇所に貼り付ける。続いてテープ巻を回転させてテープを適する長さまで引き伸ばし、この引き伸ばす過程において、ローラーがテープ巻のプロテクトテープを製品の表面に平滑に貼着し、最後にカッター刃でプロテクトテープが切断され、それによって、包装過程を簡単にして作業効率を向上させる。
【０００３】
しかしながら、上述のテープカッターは操作が簡単であるが、プロテクトテープは物品の保護のためのもので、物品を運搬及び輸送の過程で傷つけないようにする。そのため、プロテクトテープの使用時には力をいれて裁断しなければならず、且つプロテクトテープを貼着する時、物品の辺縁を揃えて貼らないと不完全になり、さらにテープ貼着後の美観も損なう。よって本考案の考案者は、上述の欠点に鑑み、従来のテープカッターは改善の必要があると認識し、新規のテープカッターを考案した。
【考案の概要】
【考案が解決しようとする課題】
【０００４】
プロテクトテープを製品の辺縁にスピーディに揃えて貼ることができ、製品の完全な保護とテープ貼着後の美観を高めるという長所を有し、且つ操作の円滑性が増し、操作の省力化と加力の簡素化を達成するテープカッターを提供することを本考案の目的とする。
【課題を解決するための手段】
【０００５】
上述の目的を達成するため、本考案が提供するテープカッターは、以下を含む。
基台は、その底部に支持部を有し、基台は枢設部材を有する。
取付ユニットは基台に枢設され、テープ巻が取り付けられる。
ハンドルは基台に設けられる。
ガイドユニットは基台に設けられ、テープ押圧部材および転向部材を有し、且つテープ押圧部材は取付ユニットおよび転向部材の間に位置する。
カッターユニットは基台に設けられ、操作部材および固定台を有し、操作部材は枢設部材に枢設され、枢設部材の両側に位置する操作部材は連動部と抑止部に分かれる。連動部の自由端には弾性部材が連接し、弾性部材の別の一端は基台に固定され、固定台は基台に固定設置され、固定台は定位部材を有し、定位部材はカッター台に連接し、カッター台は定位部材に沿って移動し、且つカッター台にカッター刃が設けられる。
テープ押圧ユニットは支持部に枢設され、第一ガイド部材および第二ガイド部材を有する。
【０００６】
本考案が提供するテープカッターは、使用する時、テープ巻のプロテクトテープをテープ押圧部材の内側に沿わせて転向部材の外側を迂回させ、第一ガイド部材と第二ガイド部材の外側まで引っ張る。ここで、転向部材の有する転向面はテープカッターを側面からみたときに基台から突出しているとの技術的特徴により、プロテクトテープの張力を高めてテープを切りやすくする。更に操作部材を押さえることで操作部材が連動部材を連動し、連動部材はカッター台と共に作動してカッター刃の前進または後退の動作を制御し、操作の円滑性を高める。その他、ガイド板によって基台を製品の辺縁にスピーディに揃えて貼ることができるので、製品の完全な保護とテープ貼着後の美観を備え、更に操作の省力化と加力の簡素化を達成する。
【図面の簡単な説明】
【０００７】
【図１】本考案の良好な実施例の斜視図である。
【図２】本考案の良好な実施例の別方向からの斜視図である。
【図３】本考案の良好な実施例の第一側面板の側面図である。
【図４】本考案の良好な実施例の分解斜視図である。
【図５】本考案の良好な実施例の断面図であり、カッター刃が後退した状態を示す。
【図６】本考案の良好な実施例の断面図であり、カッター刃が前進した状態を示す。
【図７】本考案の良好な実施例の使用時の状態を示す斜視図であり、プロテクトテープが設置された状態を示す。
【図８】本考案の良好な実施例の使用時の状態を示す斜視図であり、プロテクトテープを切断した状態を示す。
【考案を実施するための形態】
【０００８】
（一実施形態）
図１、図２および図３に示すのは、本考案の良好な実施例の斜視図、別方向からの斜視図および第一側面板の側面図である。テープカッター１００は、以下を有する。
【０００９】
基台１０は、相対して設けられた第一側面板１１および第二側面板１２を有する。本考案の良好な実施例において、第一側面板１１および第二側面板１２は板体であり、第一側面板１１および第二側面板１２は一体設置の中間部１１１、中間部１１１底部に設けられた支持部１１２および中間部１１１最上部から斜めに延びた延長部１１３をそれぞれ有し、第一側面板１１の延長部１１３および第二側面板１２の延長部の形状は同じではない。そのうち、中間部１１１の側面縁１１４および支持部１１２の底縁１１５は角度θを形成する。角度θは９０度より小さく、第一側面板１１の支持部１１２の一側はガイド板１３に連接し、ガイド板１３の側面縁と底縁は外向きにガイド部１４が延び、ガイド部１４は第一側面板１１から突出し、且つガイド部１４は凸形ガイド１５を有する。凸形ガイド１５の厚みはガイド部１４の厚みより大きく、凸形ガイド１５は第一側面板１１および第二側面板１２の間に位置し、凸形ガイド１５が基台１０を辺側に寄せて使用させることで、製品の辺縁に揃えて貼りやすい。
【００１０】
取付ユニット２０は、第一側面板１１の延長部１１３に枢設され、取付ユニット２０にはテープ巻２１が取り付けられる。
【００１１】
ハンドル３０は、図４に示すとおり、第一側面板１１の延長部１１３および第二側面板１２の延長部の間に設けられ、更に取付ユニット２０の下側に位置する。ハンドル３０は持ち手部３１および取付部３２を有する。取付部３２は第一側面板１１の延長部１１３に固定設置され、取付部３２の前端には枢設部材３３が挿入される。枢設部材３３は枢設軸であり、枢設部材３３は第一側面板１１の延長部１１３および第二側面板１２の延長部に固定設置される。
【００１２】
ガイドユニット４０は、テープ押圧部材４１および転向部材４２を有し、テープ押圧部材４１は、第一側面板１１の延長部１１３に回転可能に枢設され、更に取付ユニット２０の下側に位置する。且つテープ押圧部材４１には止め輪４１１が嵌合設置され、止め輪４１１はテープ押圧部材４１で移動し、テープ巻２１のテープ幅に応じて幅を調整する。また、転向部材４２は第一側面板１１の中間部１１１および第二側面板１２の中間部の間に固定設置され、且つテープ押圧部材４１の下側に位置する。そのうち、転向部材４２は円柱形ではなく、同時に、回転しない。更に、転向部材４２は転向面４３を有し、テープカッター１００をテープカッター１００の側面からみたときに転向面４３は基台１０から突出している。本考案の良好な実施例において、転向面４３は曲面とする。
【００１３】
カッターユニット５０を図５および図６に示す。図５および図６は、本考案の良好な実施例の断面図である。カッターユニット５０は操作部材５１および固定台５２を有し、操作部材５１は枢設部材３３に接続し、枢設部材３３の両側に位置する操作部材５１は連動部５１１と抑止部５１２に分かれる。本考案の良好な実施例において、連動部５１１の長さは抑止部５１２の長さより短く、連動部５１１に連動部材５３の一端が枢設される。連動部材５３の他端は連動板５４に枢設される。連動板５４は複数個の穿孔５４１を有し、連動部５１１の自由端には二つの弾性部材５５の各一端が相対するように連接し、二つの弾性部材５５の別の一端はそれぞれ第一側面板１１の中間部１１１の固定軸１６に固定され、複数の弾性部材５５はバネとする。
固定台５２は第一側面板１１および第二側面板１２の間に固定設置され、他に固定台５２は固定面５２１を有し、固定面５２１は連動板５４に対して垂直であり、連動板５４を支持する。固定面５２１には貫通孔５２２が穿設されており、貫通孔５２２が定位部材５６を固定する。定位部材５６は軸桿とする。定位部材５６は連動板５４に対して平行で、且つ定位部材５６はカッター台５７に連接する。固定台５２とカッター台５７は間隔をあけて設置する。カッター台５７には横向きに軸孔５７１が穿設され、軸孔５７１には定位部材５６が挿入され、カッター台５７を定位部材５６に沿って移動させる。また、カッター台５７には複数個の縦向きの固定孔５７２が穿設され、且つカッター台５７の最上面にはカッター刃５８が設置される。カッター刃５８にはカッター刃先５８１および複数個の凹槽５８２が成形される。複数の凹槽５８２、複数の穿孔５４１および複数の固定孔５７２は複数個の固定部材５９によって固定され、カッター刃５８、連動板５４およびカッター台５７を定位部材５６に沿って同時に移動させる。
【００１４】
テープ押圧ユニット６０は、第一側面板１１の支持部１１２と第二側面板１２の支持部に枢設され、テープ押圧ユニット６０は第一ガイド部材６１および第二ガイド部材６２を有する。第一ガイド部材６１は角度θの転向箇所で定位され、更にカッター台５７の下側に位置し、カッター台５７を転向部材４２および第一ガイド部材６１の間に位置させる。また第二ガイド部材６２はハンドル３０の下側に位置し、同時に凸形ガイド１５は第一ガイド部材６１と第二ガイド部材６２の外縁に位置する。本考案の良好な実施例において、第一ガイド部材６１および第二ガイド部材６２はローラーであり、且つ第一ガイド部材６１の内径は第二ガイド部材６２の内径よりも大きい。
【００１５】
図７および第８図に示すのは、本考案の良好な実施例の使用状態を示す斜視図である。ユーザーがテープカッター１００を使用する時、先ずテープ巻２１を取付ユニット２０に設置する。次にテープ巻２１のプロテクトテープを引き出し、テープ押圧部材４１の内側に沿って転向部材４２の外側を迂回させる（ここでは、「内側」とは基台１０の内部向きのことを指し、「外側」とは基台１０の外部向きのことを指す）。そして、プロテクトテープを第一ガイド部材６１と第二ガイド部材６２の外側まで引っ張る。この時、ユーザーはテープカッター１００を握り、プロテクトテープを製品上に貼り付け、且つ第一ガイド部材６１および第二ガイド部材６２が回転することにより、テープ巻２１のプロテクトテープがスムーズに引き出され、製品に正しく貼り付けられる。
【００１６】
同時にユーザーはテープ巻２１のプロテクトテープ幅の違いに基づき、テープ押圧部材４１の止め輪４１１を設置して適する位置に移動させて、プロテクトテープを第一側面板１１と止め輪４１１の間に位置を限定することで、プロテクトテープが製品に貼り付ける過程で偏らないようにする。更に、第一側面板１１の底縁はガイド板１３に連接し、ガイド板１３は基台１０が製品にスピーディに貼り付けられるようにする。
【００１７】
ユーザーがカッター刃５８でプロテクトテープを切る時、操作部材５１の抑止部５１２を押さえるだけで、操作部材５１の連動部５１１が枢設部材３３を中心にして回転し、連動部材５３を連動して回して連動板５４を動かし、連動板５４が同時にカッター台５７およびカッター刃５８を前方へ押すと、カッター刃５８のカッター刃先５８１が基台１０から露出する。同時に、転向部材４２は基台１０から前に突き出ており、テープ押圧部材４１のプロテクトテープの角度を変更する。これによって方向が転換して張力が増し、プロテクトテープ貼着後の平滑度も高くなり、カッター刃５８のカッター刃先５８１によってプロテクトテープを簡単に切断できる。この時、テープ巻２１に残っているプロテクトテープは転向部材４２に粘着して留まっており、ユーザーが次に引き出しやすくする。また複数の弾性部材５５の弾力が操作部材５１の連動部５１１を後方へ引き戻し、同時に連動部材５３、カッター台５７およびカッター刃５８を連動して後方へ引き戻し、テープカッター１００の操作に干渉しない位置まで後退させる。
【００１８】
その他、注目すべきこととして、連動部５１１の長さは抑止部５１２の長さより短く、且つカッターユニット５０が後退した状態の時、操作部材５１と連動部材５３の間は鋭角を形成する。これによって、ユーザーは抑止部５１２を押さえると、カッター刃５８がスピーディに前進して突き出し、且つカッターユニット５０が突き出た状態の時、操作部材５１と連動部材５３とは鈍角を形成する。そしてユーザーが抑止部５１２を解除すると、弾性部材５５がスピーディにカッター刃５８を引き戻すため省力的に操作でき、且つ容易に力が入りやすいため、操作のスムーズ性を高める。
【００１９】
同時に、中間部１１１の側面縁１１４および支持部１１２の底縁１１５は角度θを形成し、テープカッター１００使用時の直立性を維持する。更に、カッターユニット５０を操作する時、カッター刃５８と製品の距離を一定にして製品に接触しないようにし、テープ貼着後の製品の美観を保つ。
【符号の説明】
【００２０】
１００  テープカッター
１０    基台
１１    第一側面板
１１１  中間部
１１２  支持部
１１３  延長部
１１４  側面縁
１１５  底縁
１２    第二側面板
１３    ガイド板
１４    ガイド部
１５    凸形ガイド
１６    固定軸
２０    取付ユニット
２１    テープ巻
３０    ハンドル
３１    持ち手部
３２    取付部
３３    枢設部材
４０    ガイドユニット
４１    テープ押圧部材
４１１  止め輪
４２    転向部材
４３    転向面
５０    カッターユニット
５１    操作部材
５１１  連動部
５１２  抑止部
５２    固定台
５２１  固定面
５２２  貫通孔
５３    連動部材
５４    連動板
５４１  穿孔
５５    弾性部材
５６    定位部材
５７    カッター台
５７１  軸孔
５７２  固定孔
５８    カッター刃
５８１  カッター刃先
５８２  凹槽
５９    固定部材
６０    テープ押圧ユニット
６１    第一ガイド部材
６２    第二ガイド部材
θ      角度
【図１】
0003225981.tif 000003
【図２】
0003225981.tif 000004
【図３】
0003225981.tif 000005
【図４】
0003225981.tif 000006
【図５】
0003225981.tif 000007
【図６】
0003225981.tif 000008
【図７】
0003225981.tif 000009
【図８】
0003225981.tif 000010